(57)【特許請求の範囲】
【請求項１】
外線および２線式アナログ内線を収容する構内交換機と前記内線に繋がる内線アナログ電話機を含む内線電話システムであって、
前記構内交換機は、前記内線アナログ電話機へ発着信に係る電圧以上の高電圧を供給する高電圧供給部と、前記高電圧を供給した状態で前記内線アナログ電話機とＰＢ信号データを送受信する交換機側データ送受信部を備え、
前記内線アナログ電話機は、前記発着信に係る電圧以上の高電圧を検出する高電圧検出部と、前記高電圧の電力から自電話機内の電気回路へ供給する動作電力を生成する高電圧入力電源部と、前記高電圧が供給された状態で前記構内交換機とＰＢ信号データを送受信する電話機側データ送受信部を備え、
前記構内交換機がオンフック中の前記内線アナログ電話機に所定の音声を送出する場合に、前記構内交換機は、前記高電圧供給部からの高電圧を当該内線アナログ電話機へ供給し、前記内線アナログ電話機の高電圧検出部が前記高電圧を検出したならば、前記内線アナログ電話機は前記高電圧入力電源部を起動し、前記構内交換機と前記内線アナログ電話機は、前記高電圧が重畳された前記２線式アナログ内線を介してＰＢ信号データを送受信し前記所定の音声を送出することが可能であると判定したときは、前記構内交換機は、前記高電圧の供給を停止すると共に、
前記内線アナログ電話機は通常の通話ループを形成し、前記所定の音声を送出することを特徴とする内線アナログ電話システム。
【請求項２】
請求項１に記載の内線アナログ電話システムにおいて、
前記構内交換機は、前記高電圧供給部から高電圧を複数の内線アナログ電話機に同時に供給し、複数の前記内線アナログ電話機へ所定の音声を同時に送出することを特徴とする内線アナログ電話システム。
【発明の詳細な説明】
【技術分野】
【０００１】
本発明は、構内交換機と待機中の内線アナログ電話機との間で、設定または保守に係るデータを送受信可能な内線アナログ電話システムに関するものである。
【背景技術】
【０００２】
従来の構内交換機に接続される内線アナログ電話機は、通常、オフフックした時点で通話ループを形成し電力供給を受け、その供給電力により動作し、構内交換機からの設定または保守に係るデータを受信して自電話機に設定したり、自電話機の各種設定状況等を構内交換機に通知できる。
従って、オンフック中は電力供給がないので内線アナログ電話機は動作せず、前記各種データの送受信ができないという欠点があった。
【０００３】
なお、オンフック中に送受信するデータとしては、例えば内線アナログ電話機の短縮ダイヤルのダイヤルデータである。
【０００４】
前記欠点を解決する技術として、オンフック中にランプのみを光らせる技術がある（例えば特許文献１）。この技術は、外線や内線からのメッセージがある場合に、直流の高電圧を内線アナログ電話機に供給する。そして、内線アナログ電話機はツェナーダイオード等でその高電圧を検出し、そのツェナー電流でメッセージランプを点灯させる。
【０００５】
しかしながら、この技術は電話機内部のメッセージランプを点灯させるまでであり、オンフック中のアナログ電話機に各種データを設定したりすることまでは出来ない。
【先行技術文献】
【特許文献】
【０００６】
【特許文献１】特開平６−１６４７７２号公報
【発明の概要】
【発明が解決しようとする課題】
【０００７】
本発明の課題は、２線式アナログ内線の直流ループを形成することなしにオンフック中のアナログ電話機に電力を供給し、オンフック中のアナログ内線電話機と構内交換機との間で設定または保守に係るデータの送受信を可能とすることにある。
【課題を解決するための手段】
【０００８】
上記課題を解決するために、本発明は、外線および２線式アナログ内線を収容する構内交換機と前記内線に繋がる内線アナログ電話機を含む内線電話システムであって、前記構内交換機は、前記内線アナログ電話機へ発着信に係る電圧以上の高電圧を供給する高電圧供給部と、前記高電圧を供給した状態で前記内線アナログ電話機とＰＢ信号データを送受信する交換機側データ送受信部を備え、前記内線アナログ電話機は、前記発着信に係る電圧以上の高電圧を検出する高電圧検出部と、前記高電圧の電力から自電話機内の電気回路へ供給する動作電力を生成する高電圧入力電源部と、前記高電圧が供給された状態で前記構内交換機とＰＢ信号データを送受信する電話機側データ送受信部を備え、前記構内交換機がオンフック中の前記内線アナログ電話機に所定の音声を送出する場合に、前記構内交換機は、前記高電圧供給部からの高電圧を当該内線アナログ電話機へ供給し、前記内線アナログ電話機の高電圧検出部が前記高電圧を検出したならば、前記内線アナログ電話機は前記高電圧入力電源部を起動し、前記構内交換機と前記内線アナログ電話機は、前記高電圧が重畳された前記２線式アナログ内線を介してＰＢ信号データを送受信し前記所定の音声を送出することが可能であると判定したときは、前記構内交換機は、前記高電圧の供給を停止すると共に、前記内線アナログ電話機は通常の通話ループを形成し、前記所定の音声を送出することを特徴とする。
また、前記構内交換機は、前記高電圧供給部から高電圧を複数の内線アナログ電話機に同時に供給し、複数の前記内線アナログ電話機へ所定の音声を同時に送出することを特徴とする。
【発明の効果】
【０００９】
本発明によれば、待機中（オンフック中）の内線アナログ電話機に対して、構内交換機から、ワンタッチダイヤル等の設定や保守に係るデータを個別または一斉に登録出来る利点がある。
また、構内交換機から、内線アナログ電話機内の各種データを読み取れる利点がある。なお、構内交換機が読み取るデータは設定や保守に係るデータだけでなく、例えば、内線アナログ電話機に搭載された温湿度計等の各種センサ情報であってもよい。
さらに、構内交換機から、待機中の内線アナログ電話機を強制起動して、起動した内線アナログ電話機のマイクにより周囲音声をモニタする遠隔音声モニタ機能や、スピーカから一斉通知音声や威嚇音声を再生する遠隔音声再生機能等を制御することも可能である。  ところで、内線アナログ電話機へ給電は、従来のアナログ２線方式のままであり、新規の配線を必要としないことは言うまでも無い。
【図面の簡単な説明】
【００１０】
【図１】内線アナログ電話システムの構成図
【図２】高電圧検出部と高電圧電源部の詳細図
【図３】内線アナログ電話機に対するデータ設定のシーケンス図
【図４】内線アナログ電話機からのデータ読出のシーケンス図
【図５】内線アナログ電話機との遠隔音声モニタのシーケンス図
【発明を実施するための形態】
【００１１】
図１は本発明の内線アナログ電話システムに係る構内交換機１００と内線アナログ電話機３００のブロック構成図である。構内交換機１００は外線、内線を収容する構内交換機であり、データ入出力装置２００、及び２線式のアナログ内線電話機３００を収容する。なお、図１では２線式アナログ内線電話機３００が１台だが、これは図を省略しただけであり、当然、複数台を収容可能である。なお、図１には示していないが、内線電話機としては、デジタルインターフェースで繋がるボタン電話機を収容してもよい。  データ入出力装置２００は、例えば、パーソナルコンピュータ（ＰＣ）であり、アナログ内線電話機３００に設定すべき各種データを蓄積している。このデータ入出力装置２００はデジタルインターフェースで繋がるボタン電話機（図示せず）であってもよい。
【００１２】
デジタル内線対応部１０８はデータ入出力装置２００を収容し、主制御部１０１とのデータ伝送を行う。アナログ内線対応部１０２は、アナログ内線電話機３００を収容し、発着信、通話の制御を行う電話機能制御部１０３、及び高電圧印加時に使用するＰＢ受信部１０４とＰＢ送信部１０５、及び高電圧送出制御部１０６から成り、それぞれ主制御部とデータの送信、受信を行い、高電圧送出制御部１０６は高電圧電源供給部１０７から供給される電源を制御する。外線対応部１０９は外線を収容し、主制御部によって制御される。
【００１３】
通常の電話機能のみを使用する場合、電話機機能制御部１０３により、Ｌ１−Ｌ２間には通話用電源（例えば４８Ｖ）が供給されているが、高電圧印加時は、この通話用電源に高電圧を重畳させる。または高電圧印加時には通話用電源を停止し、高電圧のみを印加してもよい。
【００１４】
内線アナログ電話機３００の通常の電話機能の説明を行う。ハンドセット３１４を上げると、フックスイッチ３０７が閉じ、ループ形成部３０８でループ形成し、通話回路部３１０により通話路を形成し、ハンドセット３１４により通話を行う。また通話回路部３１０から直流成分のみを取り出し、電源部３１１から逆流防止ダイオード３１３を通過し、端末制御部３０１に電源供給を行う。端末制御部３０１は主に発信機能（ダイヤル機能）を制御する。着信時はフックスイッチ３０７は開いており、着信鳴動部３０９により着信信号を検出し、着信音を鳴動させる。
【００１５】
次に内線アナログ電話機３００に高電圧が印加された場合の動作を説明する。内線アナログ電話機３００が待機中に、構内交換機１００により高電圧がＬ１−Ｌ２間に印加されると、高電圧検出部３０５で高電圧を検出する。その高電圧を高電圧電源部３０６に供給し、使用電圧まで降下させ、ＰＢ受信部３０２、ＰＢ送信部３０３、メッセージランプ３０４に電源供給し、逆流防止ダイオード３１２を通過し、端末制御部３０１に電源を供給する。また同時に高電圧検出部３０５は高電圧を検出した情報を端末制御部３０１へ送信し、端末制御部３０１は起動し、ＰＢ受信部３０２、ＰＢ送信部３０３、メッセージランプ３０４、ループ形成部３０８、通話回路部３１０の制御を開始する。
【００１６】
図２は図１の高電圧検出部３０５、及び高電圧電源部３０６の詳細ブロック図である。
Ｌ１−Ｌ２間に高電圧が印加されると、ダイオードブリッジ３０５１で極性一致させ、抵抗器３０５２を通過し、ツェナーダイオード３０５３にツェナー電流が流れる。そのツェナー電流を電流検出回路３０５４で検出し、スイッチ部３０６１を制御し、スイッチを導通させる。するとレギュレータ３０６２の入力に電圧が印加され、降下させた電圧が出力される。逆流防止ダイオード３０６３を通過し、大容量コンデンサ３０６４を充電し、各ブロックへ電源を供給し、主に図１の端末制御部３０１を起動させる。また大容量コンデンサの目的は、高電圧が停止されたとき、端末制御部が省電力モードに移行するまでの時間、電圧を保持可能な容量とする。
【００１７】
図３は内線アナログ電話機に対するデータ設定のシーケンス図である。ユーザーはデータ入出力装置２００を操作し、データ設定要求を構内交換機１００に送信する（Ｓ１００）。構内交換機１００はデータ受信後、内線アナログ電話機３００に対し、高電圧印加開始する（Ｓ１０１）。高電圧を検出した内線アナログ電話機３００は起動し（Ｓ１０２）、起動したという情報（ＡＣＫ）を構内交換機１００に対し、ＰＢ信号にて送信する（Ｓ１０３）。構内交換機１００はデータ入出力装置２００に対し、ＡＣＫ信号を送信し（Ｓ１０４）、ユーザーに通知する。ユーザーはデータ入出力装置２００を操作し、設定データを構内交換機１００に送信（Ｓ１０５）する。構内交換機１００は内線アナログ電話機３００に対し、ＰＢ信号にて設定データを送信する（Ｓ１０６）。設定データを受信した内線アナログ電話機３００は、そのデータを設定する（Ｓ１０７）。内線アナログ電話機３００は設定完了後、構内交換機１００に対し、ＰＢ信号にてＡＣＫ信号を送信し（Ｓ１０８）、構内交換機１００は内線アナログ電話機３００への高電圧印加停止し（Ｓ１０９）、データ入出力装置２００に設定完了通知データを送信し（Ｓ１１０）、ユーザーに対し設定完了通知を行う。
【００１８】
ここで、データ設定要求Ｓ１００とは、例えば内線アナログ電話機のワンタッチダイヤルデータ、及び短縮ダイヤルデータであり、そのダイヤルデータを複数の内線アナログ電話機に対し一斉に設定する。また、電話機としての機能である受話音量、スピーカ音量、ダイヤル種別設定を複数台の内線アナログ電話機に対し一斉に設定することも可能である。
【００１９】
そして、メッセージランプ機能においては、点灯タイミング（周期等）や点灯色を設定することが可能である。
【００２０】
図４は、内線アナログ電話機からのデータ読出のシーケンス図である。ユーザーはデータ入出力装置２００を操作し、データ読出要求を構内交換機１００に送信する（Ｓ２００）。構内交換機１００はデータ受信後、内線アナログ電話機３００に対し、高電圧印加開始する（Ｓ２０１）。高電圧を検出した内線アナログ電話機３００は起動し（Ｓ２０２）、起動したという情報（ＡＣＫ）を構内交換機１００に対し、ＰＢ信号にて送信する（Ｓ２０３）。構内交換機１００はデータ入出力装置２００に対し、ＡＣＫ信号を送信し（Ｓ２０４）、ユーザーに通知する。ユーザーはデータ入出力装置２００を操作し、読出データ指定のデータを構内交換機１００に送信する（Ｓ２０５）。構内交換機１００は内線アナログ電話機３００に対し、ＰＢ信号にて読出データ指定のデータを送信する（Ｓ２０６）。データを受信した内線アナログ電話機３００は、構内交換機１００に対し、ＰＢ信号にて指定されたデータを送信し（Ｓ２０７）、構内交換機１００はデータ入出力装置２００に対し、前記指定されたデータを送信し（Ｓ２０８）、ユーザーは指定したデータを取得することができる。データの取得が終了したら、ユーザーはデータ入出力装置２００を操作し、構内交換機１００に対して終了のデータを送信し（Ｓ２０９）、構内交換機１００は内線アナログ電話機３００への高電圧印加を停止する（Ｓ２１０）。
【００２１】
ここで、データ読出要求Ｓ２００とは、例えばワンタッチダイヤル、及び短縮ダイヤルデータ、を読み出すことである。また内線アナログ電話機３００に各種センサを搭載し（図示せず）、高電圧印加により各種センサを起動させ、センサ情報を読み出すことが可能である。例えば人感センサを代表するセキュリティ目的センサ、温湿度センサ、明かりセンサなどである。
【００２２】
図５は、内線アナログ電話機との遠隔音声モニタのシーケンス図である。ユーザーはデータ入出力装置２００を操作し、音声モニタ要求を構内交換機１００に送信する（Ｓ３００）。構内交換機１００はデータ受信後、内線アナログ電話機３００に対し、高電圧印加開始する（Ｓ３０１）。高電圧を検出した内線アナログ電話機３００は起動し（Ｓ３０２）、起動したという情報（ＡＣＫ）を構内交換機１００に対し、ＰＢ信号にて送信（Ｓ３０３）する。構内交換機１００は内線アナログ電話機３００に対し、ＰＢ信号にて音声モニタ要求を送信する（Ｓ３０４）。データを受信した内線アナログ電話機３００は、構内交換機１００に対し、音声モニタ可能であること（ＡＣＫ）をＰＢ信号にて送信する（Ｓ３０５）。構内交換機１００は高電圧印加停止し（Ｓ３０６）、通常の通話用電源に切り替える。内線アナログ電話機３００は通話ループを形成し、音声モニタを開始する（Ｓ３０７）。モニタされた情報は構内交換機１００を経由してデータ入出力装置２００に伝達され、音声モニタ状態となる（Ｓ３０８）。ユーザーが音声モニタを終了したい場合は、データ入出力装置２００を操作し、構内交換機１００に対して、終了のデータを送信し（Ｓ３０９）、構内交換機１００は内線アナログ電話機３００に対し、ＰＢ信号にて終了データを送信する（Ｓ３１０）。内線アナログ電話機３００は、通話ループを切断する（Ｓ３１１）。
【００２３】
ここで音声モニタ開始への移行（Ｓ３０７）を図１を使用して説明する。音声モニタ開始状態に移行する場合、端末制御部３０１は、ループ形成部３０８及び、通話回路部３１０を制御し、通話ループを形成させて通話状態に移行する。また通ループ話切断時（Ｓ３１１）、端末制御部３０１は、ループ形成部３０８及び、通話回路部３１０を制御し、通話ループ切断させる。
【００２４】
ここで、遠隔音声モニタ機能について説明を行うと、内線アナログ電話機３００にマイクロホンを搭載し（図示せず）、通話ループ形成時にマイクロホンに電源供給を行うことで、電話機周辺の音声をデータ入出力装置でモニタする機能である。
【００２５】
また図５と同一のシ−ケンスを用いて、データ入出力装置からの音声等を、内線アナログ電話機３００に搭載されたスピーカ３１５から出力する遠隔音声再生を行うことも可能である。また、構内交換機１００にあらかじめ搭載しておいた音楽、威嚇音、警報音、時報、モーニングコールなどの音声をスピーカ３１５から出力することも可能である。
【００２６】
本発明で使用する高電圧の電圧値は、発信、着信、通話で使用する通話用電源電圧以上とすることで、待機状態に高電圧を印加したときに着信鳴動することがない。また高電圧は直流に限らず、交流でもよいが、着信鳴動しない電圧及び周波数とし、直流に平滑するためのコンデンサが図２のダイオードブリッジ３０５１の後段に必要であり、ダイオードブリッジ３０５１の前段には直流カット用コンデンサが必要である。
【００２７】
また本発明における構内交換機は、内線アナログ電話機のみを収容するものではなく、ボタン電話機も収容可能である。図１に示すデータ入出力装置２００はボタン電話機を含み、ボタン電話機からの操作も可能である。
【符号の説明】
【００２８】
１００・・・構内交換機
１０１・・・主制御部
１０２・・・アナログ電話対応部
１０３・・・電話機能制御部
１０４、３０２・・・ＰＢ受信部
１０５、３０３・・・ＰＢ送信部
１０６・・・高電圧送出制御部
１０７・・・高電圧電源供給部
１０８・・・デジタル内線対応部
２００・・・データ入出力装置
３００・・・内線アナログ電話機
３０１・・・端末制御部
３０４・・・メッセージランプ
３０５・・・高電圧検出部
３０６・・・高電圧電源部
３０７・・・フックスイッチ
３０８・・・ループ形成部
３０９・・・着信鳴動部
３１０・・・通話回路部
３１１・・・電源部
３１２、３１３・・・逆流防止ダイオード
３１４・・・ハンドセット
３１５・・・スピーカ
３０５１・・・ダイオードブリッジ
３０５２・・・抵抗器
３０５３・・・ツェナーダイオード
３０５４・・・電流検出回路
３０６１・・・スイッチ部
３０６２・・・レギュレータ
３０６３・・・逆流防止ダイオード
３０６４・・・大容量コンデンサ
ＶＤＤ・・・端末制御部３０１への電源
Ｌ１、Ｌ２・・・アナログ２線方式通信ライン
【図１】
0005435115.tif 000002
【図２】
0005435115.tif 000003
【図３】
0005435115.tif 000004
【図４】
0005435115.tif 000005
【図５】
0005435115.tif 000006